(57)【要約】【課題】  夏場の暑い寝苦しい夜でも、頭部が汗でべとついたりしないで快適に眠ることができる、安眠可能とするまくらを提供すること。【解決手段】  まくら素材２と、このまくら素材２の上部に載置した立体格子空間材４と、これら全体を覆うニット製のまくらカバー５とで構成し、前記まくら素材２が低反発ポリウレタンフォーム、羽毛、綿、プラスチック製のストローを短く切ったパイプ等まくらを構成できる素材で構成され、前記立体格子空間材４が連通する空気層４ｂを保つようにプラスチック製の糸を多数編み込んだもので構成されている。【選択図】  図２
2005152480.tif 000002
【特許請求の範囲】
【請求項１】
まくら素材（２）と、このまくら素材（２）の上部に載置した立体格子空間材（４）と、これら全体を覆うニット製のまくらカバー（５）とで構成したことを特徴とするまくら。
【請求項２】
まくら素材（２）が低反発ポリウレタンフォーム、羽毛、綿、プラスチック製のストローを短く切ったパイプ等まくらを構成できる素材で構成されたことを特徴とする請求項１記載のまくら。
【請求項３】
立体格子空間材（４）が連通する空気層（４ｂ）を保つようにプラスチック製の糸を多数編み込んだもので構成されたことを特徴とする請求項１記載のまくら。
【請求項４】
立体格子空間材（４）がナイロンとポリエステルの混紡またはそれぞれ単独の材料で構成されたことを特徴とする請求項１記載のまくら。
【請求項５】
立体格子空間材（４）が格子目の細かい側を上面にし、格子目の大きい側を下面にして構成されたことを特徴とする請求項１記載のまくら。
【請求項６】
立体格子空間材（４）の外周端部が無通気性または通気性の小さい材料のシール（４ｃ）で包囲して縫製固定されたことを特徴とする請求項１記載のまくら。
【発明の詳細な説明】
【技術分野】
【０００１】
本発明は、一般家庭で使用され、特に夏場の寝苦しさを解消し、使用者がより寝易く、熟睡できるまくらに関する。
【背景技術】
【０００２】
従来のこの種のまくらは、夏の暑い夜に頭部が汗でべとついたりしないで安眠可能とするため、頭部を適当に冷却できるように、まくら本体内に蓄冷体を内蔵し、蓄冷体の冷熱を伝熱板伝熱及びクッション作用を有するマット体を介して、まくらの使用者の頭を冷やそうとするものであり、この蓄冷体を予め冷蔵庫や冷凍庫にて冷やしておいて使用することにより、冷感を得ようとするものがある（例えば、特許文献１参照）。
【０００３】
また、まくらの枠部材の上面部に、網状のネットを張り付け多数の小孔が開いたネットを介して、まくら内の空気とまくら外の空気とが交換されるようにし、まくら内に熱や湿気が篭もることなくして、頭を冷ややかに保つことにより、冷感を得ようとするものがある（例えば、特許文献２参照）。
【０００４】
【特許文献１】実開昭６２−９２７６２号公報
【０００５】
【特許文献２】特開平８−２９９１３９号公報
【発明の開示】
【発明が解決しようとする課題】
【０００６】
しかしながら、上記の従来技術において、前者のものは、使用する前に蓄冷体を冷蔵庫または冷凍庫に出し入れしなければならないため、取り扱いが面倒である。また、冷え過ぎて快適感が得られにくい。また、硬くなってクッション性が得られにくい。また、冷却時間が長持ちしない。更に、湿気が高いため爽快感が得られないといった問題がある。
【０００７】
また、後者のものは、枠にピンと張った網によって頭部を支えるため、クッション性が得られない。また、肌触りが悪く、寝返りを打っても、網はほとんど撓まないため、気持ち良く寝ることが困難であり、更にまくら内の暖まった空気が素早く交換されず、それ程頭部が冷却されないため、冷感が得にくいという問題がある。
【課題を解決するための手段】
【０００８】
本発明は上記課題を解決するためになされたものであり、請求項１では、まくら素材と、このまくら素材の上部に載置した立体格子空間材と、これら全体を覆うニット製のまくらカバーとで構成したものである。
【０００９】
また、請求項２では、まくら素材が低反発ポリウレタンフォーム、羽毛、綿、プラスチック製のストローを短く切ったパイプ等まくらを構成できる素材で構成されたものである。
【００１０】
また、請求項３では、立体格子空間材が連通する空気層を保つようにプラスチック製の糸を多数編み込んだもので構成されたものである。
【００１１】
また、請求項４では、立体格子空間材がナイロンとポリエステルの混紡またはそれぞれ単独の材料で構成されたものである。
【００１２】
また、請求項５では、立体格子空間材が格子目の細かい側を上面にし、格子目の大きい側を下面にして構成されたものである。
【００１３】
また、請求項６では、立体格子空間材の外周端部が無通気性または通気性の小さい材料のシールで包囲して縫製固定されたものである。
【発明の効果】
【００１４】
本発明のまくらは、上記のように構成したことにより、睡眠時に頭部とまくら素材との間に十分なる空間を確保するとともに、クッション性の良いまくら素材と、可撓性、柔軟性及び通気性のある立体格子空間材とが相俟って、軟らか過ぎず、硬過ぎず、程よい硬さでクッション性が良く、通気性、放熱性も良いので、夏場の寝苦しい夜でも、爽やかで涼しく、安眠することができる。
【００１５】
また、横向きになって顔がまくらに接触する状態になっても、肌触りがよくクッション性が良いので、そのままの状態を保ち易く、横向きになることにより、いびきの防止にも役立つ。
【００１６】
また、横向きになっても、立体格子空間材の格子目の細かい方が上側になっているので、顔に格子目の痕が付いたりすることがない。
【発明を実施するための最良の形態】
【００１７】
以下、本発明の一実施例を図１〜図４を参照して説明する。図１は本発明の一実施例を示すまくらの斜視図、図２は同じくまくらの一部断面を示す斜視図、図３は同じくまくらの縦断面図、図４（ａ）は同じく立体格子空間材４の上面図、図４（ｂ）は同じく立体格子空間材４の下面図、図４（ｃ）は同じく立体格子空間材４の側面図である。
【００１８】
図において、１はまくらである。２はまくら素材であり、クッション性の良い低反発ポリウレタンフォームで構成され、伸縮性のあるニット製の中袋３内に収納されている。そしてこの中袋３によりまくら素材２の低反発ポリウレタンフォームに着色された色が後記するまくらカバー５に付着しないようにしている。
【００１９】
４は立体格子空間材で、前記中袋３内に収納されたまくら素材２の上部に載置されていて、この立体格子空間材４は、厚さがおおよそ１０ｍｍで内部に連通する空気層４ｂを保つように、ナイロンとポリエステルの混紡またはそれぞれ単独のプラスチック製の糸４ｄを多数編み込んで構成されている。
【００２０】
そして、立体格子空間材４は図４（ａ）に示すように頭部と接触する上面におおよそ一辺が３．５ｍｍの六角形状に編み込んだ格子目の細かい側を配し、図４（ｂ）に示すように下面にはおおよそ一辺が７ｍｍの六画形状に編み込んだ格子目の大きい側を配し、図４（ｃ）に示すように上面の六角形の各辺と下面の六角形の各辺との間を直径約０．２ｍｍのプラスチック製の糸４ｄで高さが１０ｍｍとなるように編み込んで構成し、頭をまくら１に乗せたとき頭の部分の立体格子空間材４は厚さが約１／２につぶれる程度の適度の堅さを有するようにして通気性に優れたものにしている。
【００２１】
また、格子目の細かい側を上面側にすることにより、寝返りなどを打って横向きになり、顔がまくら１と接触したとき、立体格子空間材４の格子目の痕が顔に付かないようにしている。
【００２２】
また、上面に格子目の細かい側を配し、下面に格子目の大きい側を配するようにしているため、頭部の重みを立体格子空間材４の角錐状になった格子部の形状で受けるので、格子部の座屈が防止でき、併せて可撓性及び柔軟性のある立体格子空間材４が構成できるものである。
【００２３】
また、この立体格子空間材４の上下面以外の外周端部はプラスチック製の切断した糸の端部が露出するので、無通気性または通気性の小さい材料のシール４ｃで包囲して縫製等の手段により固定して前記切断部の突出を防止し、安全面にも配慮している。
【００２４】
５はニット製のまくらカバーで、まくら１全体を覆って立体格子空間材４がまくら素材２からずれないようにしていて、肌触り、通気性、放熱性が良いものである。
【００２５】
以上の構成による作用について説明する。
【００２６】
まず、使用時はまくら１をふとん上の所定の位置に置き、寝ることにより頭部をまくら１上に置くと、肌触り、通気性、放熱性の良いニット製のまくらカバー５と接するので、爽やかで気持ちが良いものである。
【００２７】
更にクッション性の良い低反発ポリウレタンフォームのまくら素材２の上に、可撓性及び柔軟性のある立体格子空間材４があるので、まくら素材２との間には十分な距離が確保でき、通気性、放熱性が良く、また両者が相俟って軟らか過ぎず、硬すぎず、程よい硬さでクッション性が良いので、極めて寝心地の良いまくらが提供できるものである。
【００２８】
従って、この状態で睡眠すれば、夏場の寝苦しい夜も肌触りと通気性、放熱性が良く、またクッション性が良いので、気持ち良く、寝返りも打ち易いものである。
【００２９】
このとき、寝返りを打つことにより、頭部の重量の掛かる位置が変わり、まくら１側は無通気状態であるが、頭部側は開放状態であるので、立体格子空間材４内の空気層４ｂが狭くなったり、広くなったりすることによるポンプ作用により、空気層４ｂ内の空気の入れ替えが起こるので、まくらカバー５は常に爽やかで肌触りの良さが保たれる。
【００３０】
また、このとき横向きになって、顔がまくら１に接触する状態になっても、肌触りがよくクッション性が良いので、そのままの状態を保ち易く、横向きになることにより、いびきの防止にも役立つものである。
【００３１】
また、横向きになっても、立体格子空間材４の格子目の細かい方が上側になっているので、顔に格子目の痕が付いたりすることがない。
【００３２】
尚、本実施例では、立体格子空間材４はプラスチック製の糸を編み込んだものにて構成しているが、樹脂製の成型品やへちまなど連通する空気層を有する立体格子空間が構成でき、可撓性及び柔軟性のあるものであれば何でも良い。
【００３３】
また、まくら素材２についても、低反発ポリウレタンフォームにて構成したが、羽毛、綿、プラスチック製のストローを短く切ったパイプなどまくらを構成できる素材であれば何でも良く、本実施例の動作に限定されるものではない。
【図面の簡単な説明】
【００３４】
【図１】本発明の一実施例を示すまくらの斜視図である。
【図２】同じく、まくらの一部断面図を示す斜視図である。
【図３】同じく、まくらの断面図である。
【図４】（ａ）同じく立体格子空間材の上面図、（ｂ）同じく立体格子空間材の下面図、（ｃ）同じく立体格子空間材の側面図である。
【符号の説明】
【００３５】
２    まくら素材
４    立体格子空間材
４ｂ  空気層
４ｃ  シール
５    まくらカバー
【図１】
2005152480.tif 000003
【図２】
2005152480.tif 000004
【図３】
2005152480.tif 000005
【図４】
2005152480.tif 000006